(57)【要約】【課題】相手側管継手の傾斜を吸収しながら接続する構造においても、耐久性を低下させることのない管継手を提供する。【解決手段】管継手本体１１の軸心に対して相手側管継手２０が傾斜した状態で挿入された場合でも、管継手本体１１の揺動及び径方向の移動により、管継手本体１１を相手側管継手２０の傾斜に追従するように傾斜させたまま結合することができる。これにより、相手側管継手２０の傾斜を矯正する負荷を増大させることがないので、相手側管継手２０のガイドピン２２の摩耗や変形に対する耐久性を向上させることができる。また、管継手本体１１自体の揺動及び径方向の移動は可撓管１１ｂの撓みによって吸収されるので、管継手本体１１内の流体流通構造が管継手本体１１の動作の影響を受けることがなく、シール性の低下による流体漏洩や早期破損に対する耐久性を向上させることができる。【選択図】図６
2009150449.tif 000002
【特許請求の範囲】
【請求項１】
相手側管継手の傾斜を吸収しながら相手側管継手と接続可能に構成された管継手において、
軸方向一端側に相手側管継手が着脱自在に接続され、軸方向他端側に可撓管が接続される管継手本体と、
任意の取付対象物に固定され、内部に管継手本体を収容するハウジングと、
管継手本体をハウジングに対して揺動自在に支持する第１の支持部と、
第１の支持部をハウジングに対して管継手本体の径方向に移動自在に支持する第２の支持部とを備えた
ことを特徴とする管継手。
【請求項２】
前記管継手本体を揺動方向の所定の向きに戻るように付勢し、第１の支持部を移動方向の所定位置に戻るように付勢する付勢手段を備えた
ことを特徴とする請求項１記載の管継手。
【請求項３】
前記付勢手段によって付勢され、第２の支持部に設けたテーパ状の当接部に当接することにより、管継手本体を揺動方向の所定の向きに戻るように案内し、第１の支持部を移動方向の所定位置に戻るように案内するガイド部材を備えた
ことを特徴とする請求項２記載の管継手。
【請求項４】
前記第２の支持部をハウジングに対して管継手本体の軸方向に移動自在に設けるとともに、
第２の支持部を管継手本体の軸方向一端側に付勢する付勢手段を備えた
ことを特徴とする請求項１、２または３記載の管継手。
【請求項５】
前記相手側管継手が挿入される挿入口を有し、挿入口の一端側を外側に向かってテーパ状に拡開するように形成するとともに、挿入口の他端側を管継手本体の揺動及び径方向の移動範囲内で管継手本体と相手側管継手とが結合可能な内径に形成した
ことを特徴とする請求項１、２、３または４記載の管継手。
【発明の詳細な説明】
【技術分野】
【０００１】
本発明は、例えば各種設備等の配管接続用に用いられ、相手側管継手の傾斜を吸収しながら配管接続を可能とする管継手に関するものである。
【背景技術】
【０００２】
従来、この種の管継手としては、軸方向一端側に相手側管継手が着脱自在に接続された管継手本体を備え、管継手本体の軸方向他端側をハウジングによって揺動自在に支持することにより、接続時に相手側管継手が傾斜している場合でも、管継手本体の揺動によって傾斜を吸収しながら接続を可能とするようにしたものが知られている（例えば、特許文献１参照。）。この管継手では、管継手本体の他端とハウジングにそれぞれ設けた球面部を互いに摺動自在に当接させ、各球面部にそれぞれ設けた流通口の連通範囲で各球面部を摺動させることにより、管継手本体の揺動を許容しながら流通口を介して流体を流通させるようにしている。
【０００３】
また、他の管継手として、図８乃至図１０に示すように、管継手本体１を径方向に移動自在に支持する可動ブロック２と、可動ブロック２に取付けられた挿入口部材３とを備え、挿入口部材３の挿入口３ａの一端側を外側に向かってテーパ状に拡開するように形成し、ガイドピン４に内蔵された相手側管継手５を挿入口部材３の挿入口３ａに挿入することにより、挿入口３ａ内の管継手本体１と相手側管継手５とを接続するようにしたものもある。この管継手では、ガイドピン４が球面ブッシュ６によって揺動自在に支持されており、図８に示すように管継手本体１の軸方向に対して相手側管継手５が傾斜している状態でも、図９に示すようにテーパ状の挿入口３ａの内面によって相手側管継手５が案内されるとともに、可動ブロック２が管継手本体１の径方向に移動して相手側管継手５の傾斜が矯正され、図１０に示すように相手側管継手５の軸心と管継手本体１の軸心とが一致するように接続される。
【特許文献１】実開平７−３８８８２号公報
【発明の開示】
【発明が解決しようとする課題】
【０００４】
しかしながら、前者の管継手の構造では、管継手本体の傾斜を吸収する各球面部が流体と接しており、しかも結合推力を受けながら各球面部が摺動するため、摺動部分のシール性が低下しやすく、流体漏洩や早期破損に対する耐久性に劣るという問題点があった。
【０００５】
また、後者の管継手の構造では、吸収する傾斜角度が大きくなるにしたがって相手側管継手５の傾斜を矯正する負荷が増大するため、過大な結合力を必要とする場合があり、挿入口部材３及びガイドピン４の摩耗や変形に対する耐久性に劣るという問題点があった。
【０００６】
本発明は前記問題点に鑑みてなされたものであり、その目的とするところは、相手側管継手の傾斜を吸収しながら接続する構造においても、耐久性を低下させることのない管継手を提供することにある。
【課題を解決するための手段】
【０００７】
本発明は前記目的を達成するために、相手側管継手の傾斜を吸収しながら相手側管継手と接続可能に構成された管継手において、軸方向一端側に相手側管継手が着脱自在に接続され、軸方向他端側に可撓管が接続される管継手本体と、任意の取付対象物に固定され、内部に管継手本体を収容するハウジングと、管継手本体をハウジングに対して揺動自在に支持する第１の支持部と、第１の支持部をハウジングに対して管継手本体の径方向に移動自在に支持する第２の支持部とを備えている。
【０００８】
これにより、管継手本体の軸心に対して相手側管継手が傾斜した状態で挿入された場合でも、管継手本体の揺動及び径方向の移動により、管継手本体を相手側管継手の傾斜に追従するように傾斜させたまま結合することが可能となる。その際、管継手本体自体の揺動及び径方向の移動は可撓管の撓みによって吸収される。
【発明の効果】
【０００９】
本発明によれば、管継手本体の軸心に対して相手側管継手が傾斜した状態で挿入された場合でも、管継手本体を相手側管継手の傾斜に追従するように傾斜させたまま結合することができるので、相手側管継手の傾斜を矯正する負荷を増大させることがなく、相手側管継手の摩耗や変形に対する耐久性を向上させることができる。この場合、管継手本体自体の揺動及び径方向の移動は可撓管の撓みによって吸収されるので、管継手本体内の流体流通構造が管継手本体の動作の影響を受けることがなく、シール性の低下による流体漏洩や早期破損に対する耐久性を向上させることができる。
【発明を実施するための最良の形態】
【００１０】
図１乃至図７は本発明の一実施形態を示すもので、図１は管継手の側面断面図図２は相手側管継手の一部断面側面図、図３は管継手の要部側面断面図、図４乃至図７は管継手の結合動作を示す一部断面側面図である。
【００１１】
本実施形態の管継手１０は、相手側管継手２０が着脱自在に接続される管継手本体１１と、内部に管継手本体１１を収容するハウジング１２と、管継手本体１１をハウジング１２に対して揺動自在に支持ずる第１の支持部１３と、第１の支持部１３をハウジング１２に対して管継手本体１１の径方向に移動自在に支持ずる第２の支持部１４と、管継手本体１１を揺動方向の所定の向きに戻るように案内し、第１の支持部１３を移動方向の所定位置に戻るように案内するガイド部材１５と、相手側管継手２０が挿入される挿入口部材１６とを備えている。
【００１２】
管継手本体１１は、軸方向一端側に相手側管継手２０と結合する雄型の結合部１１ａを有し、軸方向他端側には図示しない外部の配管や機器等に連通する可撓管１１ｂが接続されている。管継手本体１１には内部の流路を開閉する弁体１１ｃが設けられ、弁体１１ｃはスプリング１１ｄによって弁座１１ｅに押圧されている。弁体１１ｃの先端部は結合部１１ａの外部に突出しており、弁体１１ｃの先端部を押圧することにより、弁体１１ｃが弁座１１ｅから後退して流路が開放されるようになっている。また、スプリング１１ｄは管継手本体１１内の係止部材１１ｆを介して止め輪１１ｇに係止しており、係止部材１１ｆには流体流通孔１１ｈが設けられている。
【００１３】
ハウジング１２は、軸方向両端を開口した円筒状の部材からなり、その軸方向一端側を外部の取付対象物３０に固定されている。ハウジング１２内には第２の支持部１４が軸方向に移動自在に設けられ、ハウジング１２の内周面には第２の支持部１４の移動を規制するストッパ１２ａが設けられている。
【００１４】
第１の支持部１３は内部に管継手本体１１を挿通する円筒状の部材からなり、管継手本体１１の軸方向所定位置に設けられた凸球面状の球面部材１３ａを凹球面状の受け部材１３ｂによって摺動自在に支持している。即ち、管継手本体１１は第１の支持部１３によって球面部材１３ａを中心に揺動自在に支持されている。第１の支持部１３の軸方向一端側にはフランジ１３ｃが設けられ、フランジ１３ｃは第２の支持部１４の軸方向一端面に摺動自在に係止している。また、管継手本体１１の結合部１１ａの基端側とフランジ１３ｃとの間にはゴム製のカバー１３ｄが設けられ、カバー１３ｄによって管継手本体１１と第１の支持部１３との隙間が覆われている。
【００１５】
第２の支持部１４は、ハウジング１２の内周面に軸方向に摺動自在に設けられた環状部材からなり、その中央の開口部１４ａに第１の支持部１３を径方向に移動自在に挿通している。第２の支持部１４は付勢手段としてのコイル状のスプリング１４ｂによってハウジング１２の軸方向一端側に付勢されており、ハウジング１２のストッパ１２ａによって軸方向所定位置で移動を規制されるようになっている。また、第２の支持部１４の内周縁には、ガイド部材１５がハウジング１２の軸方向一端側に向かって当接する当接部１４ｃが設けられ、当接部１４ｃは開口部１４ａの中心に向かって傾斜したテーパ状に形成されている。
【００１６】
ガイド部材１５は、第１の支持部１３の外周面に軸方向に摺動自在に設けられた環状部材からなり、その外周縁は第２の支持部１４の当接部１４ｃに当接するようにテーパ状に形成されている。ガイド部材１５は付勢手段としてのコイル状のスプリング１５ａによってハウジング１２の軸方向一端側に付勢されており、スプリング１５ａは管継手本体１１の外周面に固定されたフランジ状の係止部材１５ｂに係止している。
【００１７】
挿入口部材１６は、相手側管継手２０が挿入される挿入口１６ａを有し、ハウジング１２の軸方向一端側に設けられている。挿入口１６ａの一端側は外側に向かってテーパ状に拡開するように形成され、挿入口１６ａの他端側は同一内径で軸方向に延びるように形成されている。この場合、挿入口１６ａの他端側の内径寸法Ｄ1 は、管継手本体１１の揺動及び移動範囲内で管継手本体１１と相手側管継手２０とが結合可能な大きさになっている。
【００１８】
相手側管継手２０は、前記管継手１０が着脱自在に接続される管継手本体２１と、管継手本体２１を内蔵したガイドピン２２とを備えている。
【００１９】
管継手本体２１は、軸方向一端側に前記管継手１０と接続される雌型の結合部２１ａを有し、軸方向他端側には図示しない配管に接続される配管接続部２１ｂが設けられている。管継手本体２１には内部の流路を開閉する弁体２１ｃが設けられ、弁体２１ｃはスプリング２１ｄによって弁座２１ｅに押圧されている。弁体２１ｃの先端部は結合部２１ａの外部に突出しており、弁体２１ｃの先端部を押圧することにより、弁体２１ｃが弁座２１ｅから後退して流路が開放されるようになっている。スプリング２１ｄは管継手本体２１内の係止部材２１ｆを介して止め輪２１ｇに係止しており、係止部材２１ｆには流体流通孔２１ｈが設けられている。また、結合部２１ａは管継手１０の結合部１１ａとほぼ同等の内径を有し、その内周面には環状のゴムからなるシール部材２１ｈが設けられている。
【００２０】
ガイドピン２２は、先端が半紡錘形の円柱状部材からなり、その基端側には管継手本体２１の配管接続部２１ｂが突出している。ガイドピン２２の基端側にはフランジ状の取付部２２ａが設けられ、取付部２２ａは外部の他の取付対象物４０に固定されている。また、ガイドピン２２の外径寸法Ｄ2 は、挿入口部材１６の内径寸法Ｄ1 よりも小さく、管継手本体１１の揺動及び移動範囲内で管継手本体１１と相手側管継手２０とが結合可能な大きさになっている。
【００２１】
前記管継手１０及び相手側管継手２０では、図３(a) に示すように各管継手本体１１，２１が結合されると、図３(b) に示すように各弁体１１ｃ，２１ｃが先端部同士を当接させて弁座１１ｅ，２１ｅからそれぞれ後退し、各管継手本体１１，２１内の流路が互いに連通するようになっている。
【００２２】
以上のように構成された管継手１０及び相手側管継手２０は、相手側管継手２０のガイドピン２２を管継手１０の挿入口１６ａに挿入することにより、互いに管継手本体１１，２１が結合し、各管継手本体１１，２１内の流路が連通するように接続される。その際、図４に示すように相手側管継手２０が管継手１０の軸心に対して傾斜した状態で挿入された場合、相手側管継手２０が傾斜したままでは各管継手本体１１，２１の軸心の向きが一致しないため、図５に示すように管継手１０の結合部１１ａが相手側管継手２０の結合部２１ａの縁部に当接する。このとき、各結合部１１ａ，２１ａの当接により管継手本体１１が第１の支持部１３に対して揺動するとともに、第１の支持部１３と共に径方向に移動し、管継手本体１１の動作は可撓管１１ｂの撓みによって許容される。このような動作の過程で管継手本体１１が相手側管継手２０の傾斜に追従するように傾斜し、その結果、図６に示すように管継手１０の管継手本体１１の軸心の向きが相手側管継手２０の管継手本体２１の軸心の向きと一致し、各管継手本体１１，２１が軸心を傾斜させたまま結合する。この後、更に相手側管継手２０を管継手１０側に押圧することにより、図７に示すように第２の支持部１４がスプリング１４ｂに抗してハウジング１２の軸方向他端側に移動し、スプリング１４ｂの付勢力によって各管継手本体１１，２１の結合状態が保持される。
【００２３】
また、管継手１０及び相手側管継手２０の結合を解除した状態では、第２の支持部１４のテーパ状の当接部１４ａにスプリング１４ｂの付勢力によって当接するガイド部材１５の案内により、第１の支持部１３がハウジング１２の径方向中央側に戻るとともに、ハウジング１２の軸心と同一の向きに戻り、管継手本体１１がハウジング１２に対して調心された状態で保持される。
【００２４】
このように、本実施形態の管継手１０によれば、可撓管１１ｂに接続された管継手本体１１を第１の支持部１３によって軸方向所定位置を中心に揺動自在に支持するとともに、第２の支持部１４によって径方向に移動自在に支持するようにしたので、管継手本体１１の軸心に対して相手側管継手２０が傾斜した状態で挿入された場合でも、管継手本体１１の揺動及び径方向の移動により、管継手本体１１を相手側管継手２０の傾斜に追従するように傾斜させたまま結合することができる。これにより、相手側管継手２０の傾斜を矯正する負荷を増大させることがないので、相手側管継手２０のガイドピン２２の摩耗や変形に対する耐久性を向上させることができる。また、管継手本体１１自体の揺動及び径方向の移動は可撓管１１ｂの撓みによって吸収されるので、管継手本体１１内の流体流通構造が管継手本体１１の動作の影響を受けることがなく、シール性の低下による流体漏洩や早期破損に対する耐久性を向上させることができる。
【００２５】
また、管継手本体１１を揺動方向の所定の向きに戻るように付勢し、第１の支持部１３を移動方向の所定位置に戻るように付勢するスプリング１５ａを備えているので、管継手１０及び相手側管継手２０の結合を解除した状態においては、管継手本体１１をハウジング１２に対して調心された状態で保持することができ、相手側管継手２０の結合を常に円滑に行うことができる。
【００２６】
更に、スプリング１５ａによって第２の支持部１４のテーパ状の当接部１４ａに当接することにより、管継手本体１１を揺動方向の所定の向きに戻るように案内し、第１の支持部１３を移動方向の所定位置に戻るように案内するガイド部材１５を備えているので、ガイド部材１５によって管継手本体１１の調心機能をより高めることができる。
【００２７】
また、第２の支持部１４をハウジング１２に対して管継手本体１１の軸方向に移動自在に設けるとともに、第２の支持部１４をスプリング１４ｂによって管継手本体１１の軸方向一端側に付勢するようにしたので、スプリング１４ｂの付勢力によって各管継手本体１１，２１の結合状態を確実に保持することができ、接続信頼性の向上を図ることができる。この場合、各管継手本体１１，２１の結合時にも第２の支持部１４によって管継手本体１１を軸方向に移動させることができるので、管継手本体１１を相手側管継手２０の傾斜に追従させやすくすることができるという利点もある。
【００２８】
更に、相手側管継手２０が挿入される挿入口部材１６を備え、挿入口部材１６の挿入口１６ａの一端側を外側に向かってテーパ状に拡開するように形成するとともに、挿入口１６ａの他端側を管継手本体１１の揺動及び径方向の移動範囲内で管継手本体１１と相手側管継手２０とが結合可能な内径に形成したので、挿入口１６ａによって相手側管継手２０を管継手本体１１と結合可能な位置まで案内することができる。これにより、相手側管継手２０との位置ずれが大きい場合でも容易に接続することができるとともに、管継手本体１１と相手側管継手２０とが傾斜して結合するので、挿入口１６ａの内径寸法Ｄ1 とガイドピン２２の外径寸法Ｄ2 との差を大きめにすることができ、ガイドピン２２の挿入をより円滑に行うことができる。この場合、従来例で示した可動ブロックのように、ハウジング１２を取付対象物３０に対して径方向に移動自在に支持するようにすれば、相手側管継手２０との位置ずれをハウジング１２の移動により吸収することができる。
【図面の簡単な説明】
【００２９】
【図１】本発明の一実施形態を示す管継手の側面断面図
【図２】相手側管継手の一部断面側面図
【図３】管継手の要部側面断面図
【図４】管継手の結合動作を示す一部断面側面図
【図５】管継手の結合動作を示す一部断面側面図
【図６】管継手の結合動作を示す一部断面側面図
【図７】管継手の結合動作を示す一部断面側面図
【図８】従来の管継手の結合動作を示す一部断面側面図
【図９】従来の管継手の結合動作を示す一部断面側面図
【図１０】従来の管継手の結合動作を示す一部断面側面図
【符号の説明】
【００３０】
１０…管継手、１１…管継手本体、１２…ハウジング、１３…第１の支持部、１４…第２の支持部、１４ａ…当接部、１４ｂ…スプリング、１５…ガイド部材、１５ａ…スプリング、１６…挿入口部材、１６ａ…挿入口、２０…相手側管継手、３０…取付対象物。
【図１】
2009150449.tif 000003
【図２】
2009150449.tif 000004
【図３】
2009150449.tif 000005
【図４】
2009150449.tif 000006
【図５】
2009150449.tif 000007
【図６】
2009150449.tif 000008
【図７】
2009150449.tif 000009
【図８】
2009150449.tif 000010
【図９】
2009150449.tif 000011
【図１０】
2009150449.tif 000012